【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
移動端末によって、基地局からシステム情報を受信する方法であって、
第１のシステム情報のブロックを、放送チャネルを介して該基地局から受信することであって、該放送チャネルはシステム情報のみを放送するように構成されている、ことと、
第１のシステム情報のブロックが受信された後、第２のシステム情報の第１のブロックを、ダウンリンク共有チャネルを介して該基地局から受信することであって、該ダウンリンク共有チャネルはシステム情報および他のデータを搬送するように構成され、該第２のシステム情報の第１のブロックは、スケジュール情報を含む、ことと、
該第２のシステム情報の第１のブロックが受信された後、該第２のシステム情報の該第１のブロックに含まれる該スケジュール情報に従って、第２のシステム情報の第２のブロックを、該ダウンリンク共有チャネルを介して該基地局から受信することと
を含む、方法。
【請求項２】
前記スケジュール情報は、周期数情報およびマッピング情報のうちの少なくとも１つを含む、請求項１に記載の方法。
【請求項３】
前記周期数情報およびマッピング情報のうちの少なくとも１つは、第２のシステム情報の前記第２のブロックを受信するための情報である、請求項１に記載の方法。
【請求項４】
第１のシステム情報のブロックは、帯域幅情報および物理層に関するパラメータ情報のうちの少なくとも１つを含む、請求項１に記載の方法。
【請求項５】
第２のシステム情報の第２のブロックは、
共通または共有チャネル関連情報と、
セル送信情報と、
セル選択関連情報と、
配置関連情報と、
マルチメディアブロードキャストマルチキャストサービス（ＭＢＭＳ）関連情報と
のうちの１つをさらに含む、請求項１に記載の方法。
【請求項６】
前記ダウンリンク共有チャネルは、ＨＡＲＱ（ハイブリッド自動リピート要求）スキームをサポートする、請求項１に記載の方法。
【請求項７】
第２のシステム情報の前記第１のブロックは、Ｖａｌｕｅ  ｔａｇ情報およびセルアクセス関連情報をさらに含み、
該セルアクセス関連情報は、ＰＬＭＮ（Ｐｕｂｌｉｃ  Ｌａｎｄ  Ｍｏｂｉｌｅ  Ｎｅｔｗｏｒｋ）識別情報、追跡エリア識別情報およびセル禁止情報のうちの少なくとも１つを含む、請求項１に記載の方法。
【請求項８】
第２のシステム情報の第１のブロックを受信するステップは、
対応する第１の所定期間に従って、前記放送チャネルを介して第１のシステム情報のブロックを定期的に受信することを包含する、請求項１に記載の方法。
【請求項９】
第１のシステム情報のブロックを受信するステップは、
対応する第２の所定期間に従って、前記ダウンリンク共有チャネルを介して第２のシステム情報の第１のブロックを定期的に受信することを包含する、請求項８に記載の方法。
【請求項１０】
第２のシステム情報の第１のブロックを受信するステップは、
前記第１のシステムのブロックを受信した後の所定の時間において、第２のシステム情報の前記第１のブロックを受信することを包含する、請求項１に記載の方法。
【請求項１１】
第１のシステム情報のブロックを受信するステップは、
前記放送チャネルの所定のフレームにおいて第１のシステム情報のブロックを受信することを包含する、請求項１に記載の方法。
【請求項１２】
第２のシステム情報の第１のブロックを受信するステップは、
前記ダウンリンク共有チャネルの所定のフレームにおいて第２のシステム情報の第１のブロックを受信することを包含する、請求項１に記載の方法。
【請求項１３】
第２のシステム情報の第２のブロックを受信するステップは、
第２のシステム情報の複数の第２のブロックを受信することであって、第２のシステム情報の各第２のブロックは相互に排他的である、請求項１に記載の方法。
【請求項１４】
第２のシステム情報の各第２のブロックは、対応する第２のブロック期間を有する、請求項１３に記載の方法。
【請求項１５】
基地局によって、システム情報を少なくとも１つの移動端末に送信する方法であって、
第１のシステム情報のブロックを、放送チャネルを介して該少なくとも１つの移動端末に送信することであって、該放送チャネルはシステム情報のみを放送するように構成されている、ことと、
第１のシステム情報のブロックが送信された後、第２のシステム情報の第１のブロックを、ダウンリンク共有チャネルを介して該少なくとも１つの移動端末に送信することであって、該ダウンリンク共有チャネルはシステム情報および他のデータを搬送するように構成され、該第２のシステム情報の第１のブロックは、スケジュール情報を含む、ことと、
該第２のシステム情報の第１のブロックが送信された後、該第２のシステム情報の該第１のブロックに含まれる該スケジュール情報に従って、第２のシステム情報の第２のブロックを、該ダウンリンク共有チャネルを介して該少なくとも１つの移動端末に送信することと
を含む、方法。
【請求項１６】
前記スケジュール情報は、周期数情報およびマッピング情報のうちの少なくとも１つを含む、請求項１５に記載の方法。
【請求項１７】
前記周期数情報およびマッピング情報のうちの少なくとも１つは、第２のシステム情報の前記第２のブロックを受信するための情報である、請求項１６に記載の方法。
【請求項１８】
第１のシステム情報のブロックは、帯域幅情報および物理層に関するパラメータ情報のうちの少なくとも１つを含む、請求項１５に記載の方法。
【請求項１９】
第２のシステム情報の第２のブロックは、
共通または共有チャネル関連情報と、
セル送信情報と、
セル選択関連情報と、
配置関連情報と、
マルチメディアブロードキャストマルチキャストサービス（ＭＢＭＳ）関連情報と
のうちの１つをさらに含む、請求項１５に記載の方法。
【請求項２０】
前記ダウンリンク共有チャネルは、ＨＡＲＱ（ハイブリッド自動リピート要求）スキームをサポートする、請求項１５に記載の方法。
【請求項２１】
第２のシステム情報の前記第１のブロックは、Ｖａｌｕｅ  ｔａｇ情報およびセルアクセス関連情報をさらに含み、
該セルアクセス関連情報は、ＰＬＭＮ（Ｐｕｂｌｉｃ  Ｌａｎｄ  Ｍｏｂｉｌｅ  Ｎｅｔｗｏｒｋ）識別情報、追跡エリア識別情報およびセル禁止情報のうちの少なくとも１つを含む、請求項１５に記載の方法。
【請求項２２】
第２のシステム情報の第１のブロックを送信するステップは、
対応する第１の所定期間に従って、前記放送チャネルを介して第１のシステム情報のブロックを定期的に送信することを包含する、請求項１５に記載の方法。
【請求項２３】
第１のシステム情報のブロックを送信するステップは、
対応する第２の所定期間に従って、前記ダウンリンク共有チャネルを介して第２のシステム情報の第１のブロックを定期的に送信することを包含する、請求項２２に記載の方法。
【請求項２４】
第２のシステム情報の第１のブロックを送信するステップは、
前記第１のシステム情報のブロックを送信した後の所定の時間において、第２のシステム情報の前記第１のブロックを送信することを包含する、請求項１５に記載の方法。
【請求項２５】
第１のシステム情報のブロックを送信するステップは、
前記放送チャネルの所定のフレームにおいて第１のシステム情報のブロックを送信することを包含する、請求項１５に記載の方法。
【請求項２６】
第２のシステム情報の第１のブロックを送信するステップは、
前記ダウンリンク共有チャネルの所定のフレームにおいて第２のシステム情報の第１のブロックを送信することを包含する、請求項１５に記載の方法。
【請求項２７】
第２のシステム情報の第２のブロックを送信するステップは、
第２のシステム情報の複数の第２のブロックを送信することであって、第２のシステム情報の各第２のブロックは相互に排他的である、請求項１５に記載の方法。
【請求項２８】
第２のシステム情報の各第２のブロックは、対応する第２のブロック期間を有する、請求項１５に記載の方法。
【手続補正２】
【補正対象書類名】明細書
【補正対象項目名】００３１
【補正方法】変更
【補正の内容】
【００３１】
前記動的放送チャネルは、追加の制御チャネルを伴うチャネルであり、前記静的放送チャネルは、追加の制御チャネルを伴わないチャネルであることが好ましい。
例えば、本発明は以下の項目を提供する。
（項目１）
基地局からシステム情報を受信する方法において、
上記システム情報の第１ブロックを静的放送チャネルで上記基地局から受信する段階と、
上記第１ブロックを受信した後、上記第１ブロックに含まれる値に応じて所定の時間間隔をおいて、上記システム情報の第２ブロックを動的放送チャネルで上記基地局から受信する段階と、
上記第２ブロックに含まれる情報に基づいて、上記システム情報の第３ブロックを上記動的放送チャネルで上記基地局から受信する段階と
を含むことを特徴とする移動端末におけるシステム情報受信方法。
（項目２）
上記第２ブロックは、上記第１ブロックに含まれる値、及び制御チャネルによる情報に従って受信することを特徴とする項目１に記載の移動端末におけるシステム情報受信方法。
（項目３）
上記制御チャネルは、パケットデータ制御チャネルであることを特徴とする項目２に記載の移動端末におけるシステム情報受信方法。
（項目４）
上記第３ブロックは、上記第２ブロックに含まれる情報、及び制御チャネルによる情報に従って受信することを特徴とする項目１に記載の移動端末におけるシステム情報受信方法。
（項目５）
上記静的放送チャネルは、上記システム情報以外に、他のデータと無線リソースを共有しないチャネルであることを特徴とする項目１に記載の移動端末におけるシステム情報受信方法。
（項目６）
上記動的放送チャネルは、ユーザデータと無線リソースを共有するチャネルであることを特徴とする項目１に記載の移動端末におけるシステム情報受信方法。
（項目７）
上記動的放送チャネルは、送信速度が変化するチャネルであり、上記静的放送チャネルは、送信速度が固定されたチャネルであることを特徴とする項目１に記載の移動端末におけるシステム情報受信方法。
（項目８）
上記動的放送チャネルは、制御チャネルを伴うチャネルであり、上記静的放送チャネルは、制御チャネルを伴わないチャネルであることを特徴とする項目１に記載の移動端末におけるシステム情報受信方法。
（項目９）
上記動的放送チャネルは、Ｐ−ＢＣＨ（Primary  Broadcast  Channel）、Ｄ−ＢＣＨ
（Dynamic  Broadcast  Channel）、及びＳ−ＢＣＨ（Secondary  Broadcast  Channel）のいずれか１つ以上を含むことを特徴とする項目１に記載の移動端末におけるシステム情報受信方法。
（項目１０）
上記第１ブロックは、
現在のセルの帯域幅、
上記第２ブロックに関する情報、
ＰＬＭＮ  ＩＤ、
放送制御チャネルに関する情報、並びに、
上記第１ブロック、第２ブロック、及び第３ブロックのいずれか１つ以上に関する変更事項
のいずれか１つ以上を含むことを特徴とする項目１に記載の移動端末におけるシステム情報受信方法。
（項目１１）
上記第２ブロックは、
上記第１ブロック、第２ブロック、及び第３ブロックのいずれか１つ以上に関する変更事項、
上記第３ブロックに関する情報、
セルアクセス制限パラメータ、並びに、
ランダムアクセスチャネルへのアクセスに関する情報
のいずれか１つ以上を含むことを特徴とする項目１に記載の移動端末におけるシステム情報受信方法。
（項目１２）
上記第３ブロックは、
共通チャネル又は共用チャネルの設定情報、
呼び出し送信情報、
セル選択パラメータ、
ポジショニングパラメータ、及び、
ＭＢＭＳパラメータ
のいずれか１つ以上を含むことを特徴とする項目１に記載の移動端末におけるシステム情報受信方法。
（項目１３）
システム情報をセル内の端末に送信する方法において、
上記システム情報の第１ブロックを静的放送チャネルで上記端末に送信する段階と、
上記第１ブロックを送信した後、所定の時間間隔をおいて、上記システム情報の第２ブロックを動的放送チャネルで上記端末に送信する段階と、
上記システム情報の第３ブロックを上記動的放送チャネルで上記端末に送信する段階と
を含むことを特徴とする基地局からのシステム情報送信方法。
（項目１４）
上記第１ブロックは、
現在のセルの帯域幅、
上記第２ブロックに関する情報、
ＰＬＭＮ  ＩＤ、
放送制御チャネルに関する情報、並びに、
上記第１ブロック、第２ブロック、及び第３ブロックのいずれか１つ以上に関する変更事項
のいずれか１つ以上を含むことを特徴とする項目１３に記載の基地局からのシステム情報送信方法。
（項目１５）
上記第２ブロックは、
上記第１ブロック、第２ブロック、及び第３ブロックのいずれか１つ以上に関する変更事項、
上記第３ブロックに関する情報、
セルアクセス制限パラメータ、並びに、
ランダムアクセスチャネルへのアクセスに関する情報
のいずれか１つ以上を含むことを特徴とする項目１３に記載の基地局からのシステム情報送信方法。
（項目１６）
上記第３ブロックは、
共通チャネル又は共用チャネルの設定情報、
呼び出し送信情報、
セル選択パラメータ、
ポジショニングパラメータ、及び、
ＭＢＭＳパラメータ
のいずれか１つ以上を含むことを特徴とする項目１３に記載の基地局からのシステム情報送信方法。
【手続補正３】
【補正対象書類名】明細書
【補正対象項目名】００４１
【補正方法】変更
【補正の内容】
【００４１】
・現在のセルの帯域幅
・ＭＩＢ指示情報（リファレンス）：ＭＩＢ指示情報は、前記ＰＩＢの送信時間と前記ＭＩＢの送信時間との差（すなわち、時間間隔）（図５の「Ｔｏ」）、及び前記ＭＩＢを受信するための物理層のパラメータを含む。ここで、「Ｔｏ」値は、セル毎に又はセルの帯域幅によって、異なる値を用いることもできる。又は、「Ｔｏ」値は、全てのＬＴＥシステムで特定の値に固定することもできる。「Ｔｏ」値が特定の値に固定されている場合、「Ｔｏ」値は前記ＰＩＢにより送信する必要がない。すなわち、前記ＭＩＢが静的に送信される場合、例えば前記ＭＩＢが送信される周波数及び時間が固定されると、前記ＰＩＢは前記ＭＩＢ指示情報を含まなくてもよい。
【手続補正４】
【補正対象書類名】図面
【補正対象項目名】全図
【補正方法】変更
【補正の内容】
【図１】
2010516163.tif 000001
【図２】
2010516163.tif 000002
【図３】
2010516163.tif 000003
【図４】
2010516163.tif 000004
【図５】
2010516163.tif 000005